(57)【特許請求の範囲】
【請求項１】
フォーカス動作にて可撓性光ディスクに対して光ビームを集光させる対物レンズと、前記可撓性光ディスクにおける露出している信号記録面とは反対面側で前記光ビームの照射部位に対向するように設けられて、前記可撓性光ディスクの回転駆動時における面振れを安定化させる安定化部材とを具備し、前記可撓性光ディスクの前記信号記録面に対して光ビームを照射して、前記可撓性光ディスクからの再生光ビームにおける光学的変化を検出することにより再生信号を得る光学的情報再生装置であって、
前記可撓性光ディスクにおける前記信号記録面とは反対面に前記安定化部材が接触した状態において、フォーカス動作時に前記光ビームが前記安定化部材に合焦しないように、前記可撓性光ディスクの厚さを、前記対物レンズのフォーカス動作のストローク可能距離最大値と、前記可撓性光ディスクのフォーカスサーボのエラー信号を発生できる深さ範囲とに基づいて設定したことを特徴とする光学的情報再生装置。
【請求項２】
前記対物レンズのフォーカス動作のストローク可能距離最大値をｄ、前記可撓性光ディスクのフォーカスサーボのエラー信号を発生できる深さ範囲をｐ、前記可撓性光ディスクの厚さをｔとするとき、ｄ＋ｐ＜ｔであることを特徴とする請求項１記載の光学的情報再生装置。
【請求項３】
前記可撓性光ディスクの前記信号記録面は、記録データが凹凸あるいは蛇行する溝として記録され、反射膜および保護膜が形成されずに露出していることを特徴とする請求項１または２記載の光学的情報再生装置。
【請求項４】
前記可撓性光ディスクの材料が、光ビームに対する光吸収性を有するものであることを特徴とする請求項１〜３いずれか１項記載の光学的情報再生装置。
【発明の詳細な説明】
【０００１】
【発明の属する技術分野】
本発明は、片側に記録データが凹凸あるいは蛇行する溝として記録されている信号記録面が露出している可撓性光ディスクを用い、この可撓性光ディスクに対して光ビームを出射して、可撓性光ディスクからの再生光ビームにおける光学的変化を検出することにより再生信号を得る光学的情報再生装置に関するものである。
【０００２】
【従来の技術】
従来、再生専用の光記録媒体としてはＣＤあるいはＤＶＤなどがある。これらは、透明樹脂からなるディスク基板上に記録信号に応じた凹凸が形成され、この直上にＡｌなどの反射膜が形成され、さらに紫外線硬化樹脂の保護膜が形成されている構成である。
【０００３】
そして再生時には、回折限界まで絞られたレーザ光をディスク基板を通して前記凹凸に照射する。すると、この凹凸に応じて位相干渉が生じ、反射光に凹凸に応じた反射率変化が生じ、この反射光を光電変換素子で受光することによって信号を再生する。
【０００４】
また、本件出願人は、特願２００１−２２８９４３号として、可撓性光ディスクの回転駆動時における面振れを、ベルヌーイの法則を利用した空気流の圧力差によって安定化させるための安定化部材を具備した構成の記録／再生装置を出願した。
【０００５】
【発明が解決しようとする課題】
ところで、前記光ディスクにおいて信号成分を持つのはディスク基板上の凹凸であって反射膜ではない。しかし、従来の再生用光ディスクは、すべてＡｌなどの金属反射膜が形成されていた。この金属反射膜が存在するため、ディスクの反射率は高くなり、再生信号の処理は容易であった。
【０００６】
通常のＣＤ，ＤＶＤなどは、レーザ光が入射する側に対してディスク基板の奥側に記録面がある。したがって、レーザ光はディスク基板の表面から内部に入って、次に記録面に達して再生光ビームとして反射する。ところがディスク基板の表面においてもレーザ光は数％と低いながら反射する。
【０００７】
このため、記録面にＡｌなどからなる反射率の高い反射膜を形成することにより、ディスク基板の表面における反射が再生光ビームによる再生信号に悪影響を及ぼすことを防ぐ必要があった。
【０００８】
したがって、従来ではディスク製造に反射膜形成のために、真空プロセスが必要となる。しかしながら真空プロセスは高価である。よって、光ディスクにおいて反射膜あるいは保護膜の形成、および、その製造プロセスを無くすことがコスト的にも有利である。
【０００９】
本件出願人が出願した前記特願２００１−２２８９４３号の発明に係る記録／再生装置に使用される可撓性光ディスクにおいても、同様に反射膜あるいは保護膜を無くすことが考えられるが、このようにした場合、光ディスクからの再生光ビームの光量が少なくなり、良好な再生信号が得られないという課題が生じた。
【００１０】
本発明の目的は、前記課題を解決し、反射膜あるいは保護膜が形成されていない可撓性光ディスクを用いても、Ｓ／Ｎのよい再生信号が得られる構成の光学的情報再生装置を提供することにある。
【００１１】
【課題を解決するための手段】
前記目的を達成するため、請求項１記載の発明は、フォーカス動作にて可撓性光ディスクに対して光ビームを集光させる対物レンズと、前記可撓性光ディスクにおける露出している信号記録面とは反対面側でかつ前記光ビームの照射部位に対向するように設けられ、前記可撓性光ディスクの回転駆動時における面振れを安定化させる安定化部材とを具備し、前記可撓性光ディスクの前記信号記録面に対して光ビームを照射して、可撓性光ディスクからの再生光ビームにおける光学的変化を検出することにより再生信号を得る光学的情報再生装置であって、前記可撓性光ディスクにおける前記信号記録面とは反対面に前記安定化部材が接触した状態において、フォーカス動作時に前記光ビームが前記安定化部材に合焦しないように、前記可撓性光ディスクの厚さを、前記対物レンズのフォーカス動作のストローク可能距離最大値と、前記可撓性光ディスクのフォーカスサーボのエラー信号を発生できる深さ範囲とに基づいて設定したことを特徴とし、この構成によって、安定化部材の表面と光ディスクの裏面のいずれにも、光ビームの集光点が達しないため、光ビームを安定して信号記録面にフォーカスさせることができ、可撓性光ディスクにおいて光ビームから検出される再生信号のＳ／Ｎを良好に保つことができる。
【００１２】
請求項２記載の発明は、請求項１記載の光学的情報再生装置において、対物レンズのフォーカス動作のストローク可能距離最大値をｄ、可撓性光ディスクのフォーカスサーボのエラー信号を発生できる深さ範囲をｐ、可撓性光ディスクの厚さをｔとするとき、ｄ＋ｐ＜ｔであることを特徴とし、この構成によって、可撓性光ディスクにおける反射率の低い信号記録面に対しても安定してフォーカシングすることができる。
【００１３】
請求項３記載の発明は、請求項１または２記載の光学的情報再生装置において、可撓性光ディスクの前記信号記録面は、記録データが凹凸あるいは蛇行する溝として記録され、反射膜および保護膜が形成されずに露出していることを特徴とし、かような構造の可撓性光ディスクを用いる光学的情報再生装置に有効である。
【００１４】
請求項４記載の発明は、請求項１〜３いずれか１項記載の光学的情報再生装置において、可撓性光ディスクの材料が、光ビームに対する光吸収性を有するものであることを特徴とし、この構成によって、再生光ビームに干渉する可撓性ディスク両面における光反射の発生を抑制することができる。
【００１５】
【発明の実施の形態】
以下、本発明の好適な実施形態について図面を参照しながら説明する。
【００１６】
図１は本発明の実施形態を説明するための光ディスク再生装置の基本構成図であり、１は可撓性を有するシート状の光ディスク、２は光ディスク１のハブ３を保持するスピンドルシャフト、４はスピンドルシャフト２を回転駆動するスピンドルモータ、６は、光ディスク１に対して光ビームＬａを照射して、光ディスク１からの反射された再生光ビームＬｂに基づき書き込まれた情報の読み取りを行う再生手段としての光ピックアップ、７は光ピックアップ６に設けられた対物レンズ、８は、光ディスク１を介して光ピックアップ６に対向設置され、光ディスク１の面振れを防止するための安定化部材である。
【００１７】
図１において、可撓性を有する光ディスク１は、再生時、スピンドルシャフト２にセットされ、スピンドルモータ４により回転駆動されて、光ピックアップ６と安定化部材８間で回転する。回転している光ディスク１は、それ自体、小さいながら剛性を持ち、また回転すると遠心力の作用により、真っ直ぐな状態になろうとする力を持つ。したがって、光ディスク１に対して安定化部材８を近づけて、ベルヌーイの法則に基づく空気流の圧力差による反発力を生成して光ディスク１に与えることにより、光ディスク１が真っ直ぐになろうとする力と、安定化部材８からの反発力の釣り合いによって、大きな面振れを減少させることができる。
【００１８】
そして光ディスク１において、前記のように面振れが安定した部位に対して光ビームＬａを照射し、光ディスク１からの反射された再生光ビームＬｂに基づき書き込まれた情報の読み取りが行われる。
【００１９】
図２は前記光ピックアップを構成する再生手段の説明図であり、フォトダイオードなどからなる光電変換素子１０と再生信号処理回路１１などからなり、光ディスク１の記録面に形成されている記録ビットに対して、半導体レーザなどからなるレーザ光源１２から低出射エネルギの光ビームＬａが出射され、その反射光（再生光ビーム）Ｌｂを対物レンズ７を通し光電変換素子１０で受光し、光電変換素子１０からの出力に再生信号処理回路１１で信号伸張処理などを施して再生信号を生成する。
【００２０】
図３は図１における本実施形態の拡大説明図であり、本実施形態において、光ディスク１は、ポリカーボネート樹脂を成形して下面に信号記録面１ａとして凹凸ピットを形成した。この信号記録面１ａ上には反射膜，紫外線硬化樹脂保護膜などを設けていない。したがって、信号記録面１ａにおける凹凸ピットは露出しており、表面は大気に接している状態である。この部分に光ピックアップ６から出射した光ビームＬａを光スポットとして集光する。
【００２１】
反射膜がある場合は、前記凹凸ピット近傍で最も反射率が高く、数１０％以上ある。よって、光スポットのフォーカシングは簡単であるが，本例の場合には、信号記録面１ａにおけるピット界面は５％〜６％と低反射率である。また、信号記録面１ａの反射率と、信号記録面１ａに対して反対面の光ディスク１における裏面１ｂの反射率とがほとんど同じであるため、裏面１ｂからの反射光が大きいと再生光ビームＬｂにおけるＳ／Ｎが悪くなる。このため光ディスク１の裏面１ｂからの反射光の影響を減らす工夫が必要になる。
【００２２】
また光ディスク１の裏面１ｂ面の近くには安定化部材８が設置されている。この安定化部材８と光ディスク１との距離は数μｍ以下のため、安定化部材８の表面での反射光も信号再生にとって雑音成分となる。
【００２３】
図３に示すように、安定化部材８表面への誤フォーカシングを防ぐために、光ピックアップ６の対物レンズ７のフォーカス方向におけるストロークを２０μｍとした。光ディスク１の厚さｔは本例では７０μｍである。ここで、対物レンズ７のフォーカス動作のためのストローク可能距離最大値をｄ、対物レンズ７と安定化部材８間の距離をＬ、対物レンズ７の作動距離をＷＤとする。またフォーカスサーボのエラー信号を発生できる範囲をｐとして示している。
【００２４】
可撓性を有する光ディスク１は面振れするが、信号記録面１ａが対物レンズ７から最も遠ざかるのは、光ディスク１の裏面１ｂが安定化部材８に接してしまうときである。これが図３に示す状態である。このとき対物レンズ７は最も安定化部材８に接近する。この状態において安定化部材８の表面に光ビームＬａが合焦しなければよい。この場合，安定化部材８の表面に対して光ディスク１の裏面１ｂが接しているので、光ディスク１の裏面１ｂにも合焦しないことになる。
【００２５】
この関係を式に表すと（数１）になる。
【００２６】
【数１】
ＷＤ＋ｄ／２＋ｐ＜Ｌ
対物レンズ７が安定化部材８に最も接近するときは、Ｌ＝ＷＤ−ｄ／２＋ｔである。
【００２７】
したがって、（数２）に示す関係になる。
【００２８】
【数２】
ｄ＋ｐ＜ｔ
いま、安定化部材８の作用にて安定化した光ディスク１は、面振れが１０μｍ以下となるため、光ピックアップ６の対物レンズ７におけるフォーカス方向のストロークを２０μｍにすることができる。よって、ｄ＝２０μｍとした。そして、フォーカスサーボのエラー信号が発生できるのは２０μｍ程度の深さ範囲である。よって、ｐ＝２０μｍである。ここで光ディスク１の厚みｔを７０μｍとした。
【００２９】
すると、（数２）は、（２０＋２０）＜７０となって成立する。
【００３０】
したがって、反射率の低い光ディスク１の信号記録面１ａに対して安定してフォーカシングすることができる。また、安定化部材８の表面と光ディスク１の裏面１ｂのいずれにも、光ピックアップ１の光ビームＬａの集光点が達しないため、再生光ビームＬｂは安定して信号記録面１ａにフォーカスさせることができ、図３にて説明したように、再生光ビームＬｂから検出される再生信号のＳ／Ｎを良好に保つことができる。
【００３１】
光ディスク１の信号記録面１ａに公知のＤＶＤ−ＲＯＭとほぼ同様な記録ピットを形成し、半導体レーザ１２から出射する光ビームＬａの波長が６６０ｎｍ，対物レンズ７がＮＡ０．６５の光ピックアップ６を用いて信号を再生して得られた波形図が図４である。
【００３２】
光ディスク１上のピットに付いてはＤＶＤとほぼ同じ寸法であるが、ピットの深さは異なる。光反射型の再生方法において再生信号の変調度が最大になるのは、ピット部と鏡面部の位相差がλ／４になるときである。普通のＤＶＤでは、ディスク基板の屈折率が１．５程度あるため、６５０ｎｍ／（４×１．５）で、約１１０ｎｍのピット深さが最適となるが，本実施形態のものでは、空気中での位相差が問題になるから、６５０ｎｍ／４で１６０ｎｍのピット深さとし、ピットが最短で０．４μｍ、かつトラックピッチが０．７４μｍとした。再生の線速度は３．５ｍ／ｓ、半導体レーザ１２の再生パワーは２ｍＷとした。また再生信号処理回路１１における信号増幅用のＲＦアンプの利得も２倍程度大きくした。このときの半導体レーザ１２の再生パワーは、反射膜付きの普通のＤＶＤを再生する場合の５倍以上に相当する。
【００３３】
図４にて分かるように、良好なアイパターンが得られている。変調度も６０％以上ある。クロックと信号のジッターもエラーなしで再生できる８．５％が得られた。信号の反射電位は約３００ｍＶである。
【００３４】
比較例として、図５に本実施形態と同じ光ディスクの基板に、Ａｇ反射膜をスパッタリングで１００ｎｍ成膜したディスクの再生信号を示す。反射率が高いため半導体レーザ１２の再生パワーを０．３ｍＷに落としている。このときのジッターは８．０％であった。反射電位は約９００ｍＶである。
【００３５】
本実施形態のように、半導体レーザ１２の再生パワーを増して光ビームＬａの絶対光量を大きくし、かつ再生信号に対して再生信号処理回路１１のＲＦアンプでゲイン補正することにより、信号のＳ／Ｎそのものは、従来同様、大きく取り入れることができた。
【００３６】
変調度は位相干渉で生じているため、反射膜の有無にあまり関係しないことが分かる。したがって、光ビームの絶対光量さえ大きくしておけば、可撓性光ディスクを反射型再生専用ディスクとして、反射膜を形成することなく再生することができる。
【００３７】
なお、本実施形態において、再生光ビームＬｂは、フォーカシングが安定に行えるまで半導体レーザ１２の再生パワーを上げていくことが最低条件であるが、装置全体のノイズ（電気系ノイズ）に対してではなく、光ディスク１の再生信号のノイズが装置全体のノイズを支配するまで再生パワーを上げる。このようにすることにより、ディスクのもつ本質的なＳ／Ｎをすべて使い切ることになる。この状態を図６（ａ），（ｂ）に示す。
【００３８】
図６（ａ）は半導体レーザ１２の再生パワーが小さいときの状態を示している。鋭いピークのあるカーブが光ディスク１のもつ固有の信号レベルとノイズを示す。また、点線で示すブロードなピークの無いカーブが装置全体のノイズを示す。再生パワーが小さいと、ディスクの信号ノイズより装置全体のノイズが大きいために、全体のＳ／Ｎは、光ディスク１の信号ピークと装置全体のノイズで決まる。
【００３９】
再生光ビームＬｂを受光して光電変換する光電変換素子１０、あるいは再生信号処理回路１１のＲＦアンプのノイズは受光する光量とはあまり関係が無いのに対し、光ディスク１からの反射光量による電気信号は受光量に比例して増えていく。したがって、再生光ビームＬｂを大きくすると、あるところで、ディスクのノイズが電気系のノイズを上回り、装置全体のＳ／Ｎを光ディスク１が支配するようになる。このことを示すのが図６（ｂ）である。図６（ｂ）のようにした方がＳ／Ｎが良いことは明らかである。
【００４０】
本実施形態では、図６（ｂ）に示す状態まで半導体レーザの再生パワーを上げている。この結果、高価な真空プロセスを省き、樹脂成形のみで製作した再生専用光ディスクを用いて、良好に再生することができるディスク駆動装置が実現したのである。
【００４１】
再生装置の基本設計時には、このようなノイズと信号の周波数スペクトルでの解析を行うが、実際上、図６（ａ）と図６（ｂ）とで異なるのは半導体レーザ１２の再生パワーの大小だけである。したがって、基本設計時には、スペアナを用いて再生装置のノイズ特性を測定し、その後、無反射ＲＯＭディスクを再生し、半導体レーザ１２の再生パワーを変えながらノイズレベルの変化を観察する。再生パワーの上昇と共にＳ／Ｎが飽和していく。飽和した点が図６（ｂ）である。その再生パワーを、その再生装置におけるＲＯＭディスク用の再生パワーとして設定する。
【００４２】
また、実際の商品では、基本設計時に得られた前記のようなデータに基づいて前記再生パワーの初期値を設定する。そして、再生装置あるいはディスクの個体差のばらつきを吸収するため、エラー率を見ながら再生パワーを微調整する回路を必要に応じて設置するとよい。
【００４３】
本実施形態にて用いる可撓性を有する光ディスク１は、表面に反射層，保護層を形成しないため保護のために図７に示すように、カートリッジに入れるとよい。すなわち、光ディスク１は既述したものと同じ構造であって、カートリッジケース２０内に光ディスク１を収納し、摺動可能に設けられたシャッタ板２１で開閉する開口２０ａから光ディスク１が外部に対して露呈するようにしてある。したがって、信号記録面１ａに人間の手が触れることはない。
【００４４】
また、長期にわたって塵埃などが付着しないように、ナイロン繊維などを熱プレスなどで作る不織布２２を内設し、光ディスク１の回転中に軽く触れることにより、光ディスク１に付着した塵埃などを取り除くことができるようにしている。
【００４５】
なお、本実施形態における光ディスク１の場合、全体として樹脂のみであって金属膜がなく、かつ貼り合わせ構造でもない。したがって、従来のような成膜応力などによって数ミリ間隔の基板シートの凸凹変形が生じることもなく、また光ディスク１の表裏共に透湿度が同じであるため、空気中の水分の影響による微小変形も生じない。
【００４６】
このように本実施形態における光ディスク１では、温度あるいは湿度による複雑な変形が極めて少ない。光ディスク１の微妙な凸凹は安定化部材８による空気軸受け作用による面振れ安定化に悪い影響を及ぼすが、本実施形態の光ディスク１は、カートリッジケース２０に収納して保護したことも相俟って、ＪＩＳ  Ｃ５０２４の温湿度サイクル試験を実施しても再生に何ら支障なかった。ジッターに関しては図３の例と有意差なしであった。
【００４７】
前記構成の本実施形態において、図１，図３に示す安定化部材８における表面に無反射コートを施した場合について説明する。
【００４８】
光ピックアップ６は、半導体レーザ１２から出射するレーザ光Ｌａの波長を４０５ｎｍ、対物レンズ７のＮＡを０．８５とした。信号ピットは、最短ピット長０．２５μｍ，トラックピッチが０．３５μｍ，ピット深さ０．１μｍとした。信号は１−７変調をかけたランダム信号である。また、可撓性を有する光ディスク１の厚さｔは４０μｍとし、対物レンズ７のストローク量ｄを１００μｍとした。したがって、前記条件においては、光ピックアップ６は物理的に安定化部材８の表面に合焦し得る。
【００４９】
図１，図３に示すように、安定化部材８は、光ディスク１の信号記録面１ａと反対側に設置されており、信号記録面１ａとは微小距離しか離れていない。このため、安定化部材８の表面における反射率が大きいと、最初に信号記録面１ａへのフォーカス動作時に、安定化部材８にフォーカスが入ってしまう恐れがあるため、安定化部材８の材質あるいは表面状態によっては、安定化部材８の表面に対して無反射コーティングを施した方が誤動作が減る。
【００５０】
安定化部材８は、ステンレス鋼（ＳＵＳ３０４）製とし、表面にＺｒＯ2膜を蒸着した。光学膜厚をλ／４ｎにすると、反射率を極小にすることができる。本例では、光ディスク１が厚さは７０μｍであり、光ビームの波長４０５ｎｍで用い、ＺｒＯ2の屈折率が約２．０であるため、光学膜厚は５０ｎｍとなる。
【００５１】
このようにして、安定化部材８の表面における再生光ビームの反射率が光ディスク１表面の反射率以下になったため、フォーカスの引き込みはきわめて安定化し、安定したフォーカス，トラッキングが可能であった。
【００５２】
光ピックアップ６の仕様上、安定化部材８の表面あるいは光ディスク１の裏面１ｂに合焦する構造であっても、安定化部材８表面に無反射コートを施すことにより、再生安定性を向上することができた。
【００５３】
光ピックアップ６の半導体レーザの再生パワーを１．５ｍＷ以上にした場合に、ジッターは最小になって安定した。したがって、再生パワー１．５ｍＷでディスクノイズリミットの再生を行うことができていることになる。再生信号のジッターは９％以下で十分エラーを小さくできる信号が得られた。
【００５４】
また、本実施形態の他例として、光ディスク１の厚さｔを７０μｍ，対物レンズ７のストローク量ｄが５μｍ、対物レンズ７のＮＡが０．８５、かつ光ピックアップ６においてフォーカスサーボのエラー信号を発生できる範囲ｐが１０μｍ以下であるとすると、前記（ｄ＋ｐ＜ｔ）の関係式は、２５＋１０＜７０であって成立する。光ピックアップ６から出射される光ビームの光スポットは、物理的に安定化部材８の表面には移動しない。
【００５５】
安定化部材８の表面には無反射コートが施され、安定化部材８の表面の反射率が低く、かつ光ディスク１の厚みと、対物レンズ７のフォーカス方向におけるストロークのために、物理的に安定化部材８の表面には合焦できないことの両方の要因で、透明な光ディスク１表面の信号記録部１ａにフォーカスを最も安定に簡便に合わせることができる。フォーカス方向の対物レンズ７のストロークは光ディスク１の厚み以下であれば、安定化部材８上に合焦することは物理的にない。また対物レンズ７の焦点深度は、実質数μｍ以下であるため、焦点深度を考慮する必要はほとんどない。対物レンズ７のフォーカス方向のストロークは、光ディスク１の厚みより１０〜２０μｍ以上小さければ、安定化部材８の表面への合焦はほぼ生じない。
【００５６】
この結果、安定した信号再生が行え、かつ半導体レーザ１２の再生パワーが２ｍＷにてジッター８％が得られた。
【００５７】
さらに本実施形態の他例として、光ディスク１の材料を変更して、ポリエチレンテレフタレートとし、かつ重量％にて約１０％のフタロシアニン系顔料を混合したものを使用し、安定化部材８の表面における無反射コーティングを省略した。
【００５８】
光ディスク１に染料を混ぜたことにより、透過する４０５ｎｍの光ビームは２０％ほど吸収されるようになった。したがって、光ディスク１の裏面１ｂからの反射光は約５０％減少し、光ピックアップ６におけるフォーカス引き込みエラーが減った。また安定化部材８の表面における反射の影響も減り、安定化部材８の表面の無反射コーティングを無くしても、再生信号のエラー率などは問題がなかった。
【００５９】
このように、光ディスク１に光吸収性を持たせることにより、本実施形態のように反射層のない再生専用光ディスクにおける再生しやすさを向上させることができた。
【００６０】
光ディスク１の信号記録面１ａにおける記録データの形成方法としては、既述したような凹凸を形成する方法の他に、蛇行する溝として記録する方法などがあるが、記録データの記録方法によらず前記と同様の効果が得られる。
【００６１】
前記のような本実施形態における再生専用光ディスクから再生信号を得るための装置としては、再生時に既述した実施形態の機能を具備する構成であればよく、再生専用装置であっても、また記録／再生の両機能を備えた装置においても適用することができる。
【００６２】
【発明の効果】
以上説明したように、本発明によれば、可撓性光ディスクには特別な形成膜がなく露出している信号記録面が形成された、製造コストの低い可撓性光ディスクを用いることが可能になり、また再生光ビームは、可撓性光ディスクの信号記録面からの干渉のみを受けることになり、再生信号としてＳ／Ｎのよい再生信号が得られる光学的情報再生装置を提供することができる。
【図面の簡単な説明】
【図１】本発明の実施形態を説明するための光ディスク再生装置の基本構成図
【図２】図１の光ディスク再生装置における再生手段の説明図
【図３】図１の光ディスク再生装置における拡大説明図
【図４】本発明の実施形態における再生信号の波形図
【図５】本発明の実施形態の比較例における再生信号の波形図
【図６】信号レべルと周波数との関係を示す図
【図７】本発明の実施形態における光ディスクをカートリッジに収納した例を示す断面図
【符号の説明】
１  光ディスク
１ａ  信号記録面
６  光ピックアップ
７  対物レンズ
８  安定化部材
１０  光電変換素子
１１  再生信号処理回路
１２  レーザ光源（半導体レーザ）
Ｌａ  光ビーム（出射光）
Ｌｂ  再生光ビーム（反射光）
【図１】
0003728732.tif 000002
【図２】
0003728732.tif 000003
【図３】
0003728732.tif 000004
【図４】
0003728732.tif 000005
【図５】
0003728732.tif 000006
【図６】
0003728732.tif 000007
【図７】
0003728732.tif 000008